(57)【特許請求の範囲】
【請求項１】
ＤＶＤデータにおける最小データ管理単位のユニットの管理データから、当該ユニットの再生時間を取得するユニット再生時間取得部と、同ユニットにおける映像の管理を行う映像管理データからユニット内の映像サイズを表すデータを取得する映像サイズデータ取得部と、前記ユニット再生時間と映像サイズデータから当該ユニットの映像データ密度を演算する映像データ密度演算部と、設定時間内で再生するユニットを前記データ密度順に選択するシナリオ再生用ユニット選択部と、前記選択されたユニットをデータ記録順に再生し出力する再生出力部とからなることを特徴とするＤＶＤビデオシナリオ再生装置。
【請求項２】
前記映像データ取得部で取得するデータは主映像のサイズデータであり、選択された主映像データ密度の大きいユニットをデータ記録順に再生する請求項１記載のＤＶＤビデオシナリオ再生装置。
【請求項３】
前記映像データ取得部で取得するデータは字幕のサイズデータであり、選択された字幕データ密度の大きいユニットをデータ記録順に再生する請求項１記載のＤＶＤビデオシナリオ再生装置。
【請求項４】
前記映像データ密度の演算に用いる映像サイズデータを、主映像のサイズデータと字幕のサイズデータとに切り換えるシナリオ再生モード設定部を備えた請求項１記載のＤＶＤビデオシナリオ再生装置。
【請求項５】
前記シナリオ再生用ユニット選択部では、前記データ密度順の選択に際して、先に選択したユニットから所定以上近接するユニットを選択しないようにした請求項１記載のＤＶＤビデオシナリオ再生装置。
【請求項６】
前記ＤＶＤデータにおける隣接する所定時間分のユニットを集めて単位ユニットグループとし、各単位ユニットグループ毎に再生時間と、映像サイズデータと、データ密度とを演算し、前記シナリオ再生用ユニット選択部では、設定時間内で再生する単位ユニットグループを前記データ密度順に選択し、前記再生出力部では、選択された単位ユニットグループをデータ記録順に再生し出力する請求項１乃至請求項５のいずれか１つに記載のＤＶＤビデオシナリオ再生装置。
【請求項７】
前記シナリオ再生用ユニット選択部では、前記データ密度順に選択された単位ユニットグループにつながる単位ユニットを所定数集めて再生用ユニットグループとし、前記再生出力部では、前記選択された単位ユニットグループが存在する再生用ユニットグループをデータ記録順に再生し出力する請求項６記載のＤＶＤビデオシナリオ再生装置。
【発明の詳細な説明】
【０００１】
【発明の属する技術分野】
本発明は、ＤＶＤビデオにおいて、全体の映像データのうち一部のデータのみを間欠的に再生することにより、全体の映像を見ることがなくても概要を知ることができるようにしたＤＶＤビデオシナリオ再生装置に関する。
【０００２】
【従来の技術】
近年の光ディスクに関する技術の発達により、ＣＤのサイズのディスクに大容量の画像データを記録することができるＤＶＤが普及しており、このＤＶＤにはこの大容量の画像データの記録能力を生かして、長時間の映画も記録することができるようになっている。
【０００３】
例えばこのような映画を再生する際、１回の視聴中にその映画の最初から最後まで一気に見てしまう場合はよいが、所用のため途中で停止し、ある程度の期間おいてからその続きを見ることもある。このようなときには、先に見た部分の一部を忘れてしまっていることもあり、ストーリーの展開を思い出すため先に見た部分を改めて見る必要を生じるときもある。
【０００４】
このようなときには、前回見た部分を全て見ることは無駄な場合が多く、ストーリーの展開を思い出すため必要な部分だけ短時間再生し、そこから早送りし、再び短時間再生するという、間欠的な再生と早送りを繰り返すことによりストーリーの展開を表示すること、即ち「シナリオ再生」方式で再生することが望まれることが多い。また、時間の都合等で長時間の映画の全体を見ることができないときには、その要部だけでも再生してみることが望まれ、前記のようなシナリオ再生を行うことが望まれることもある。
【０００５】
上記のようなシナリオ再生を行うため、従来のＤＶＤビデオ再生装置においては、図１２に示すように、一定時間間隔毎に、最初の短時間部分のみの映像を再生する再生方式を採用していた。即ち、図示の例においては、同図（ａ）のＤＶＤに対する記録データＤのうち、同図（ｂ）にデータ量のグラフとして示す主映像データＮの記録開始時点ｔ０から最初の３０秒間（Ｔ１）の部分に記録されている主映像（Ｖ１）を再生し、次いで前記記録開始時点ｔ０から５分（Ｔ２）の後のｔ１の部分から記録されている３０秒間の映像（Ｖ２）を再生する。以降同様に、一定時間間隔（Ｔ２）毎に、最初の所定時間（Ｔ１）の部分に記録されている映像を順次再生する方式であった。
【０００６】
その際に、字幕等の副映像データＳの再生については、図１２（ｃ）にのグラフに示されるように、上記と同じ再生時点において、Ｓ１、Ｓ２・・・と順に再生される。したがって、図１２（ｂ）及び図１２（ｃ）のグラフから明らかなように、ＤＶＤに記録されているデータの量やデータ密度等とは全く無関係に一定時間間隔で再生されることとなる。
【０００７】
【発明が解決しようとする課題】
上記のような従来のシナリオ再生方式においては、一定時間の時間間隔毎に、最初の所定時間部分の映像を順次再生する方式であるため、その映画の主要なシーンを含んでいるとは限らず、例えば戦闘ものの映画でありながら風景の場面ばかりが再生されてしまうことがあり、以前見た場面のはずの映像でもその部分は記憶になく、以前見た部分の筋書きを思い出すことができないこと、或いはその映画の概要を知ることができないこともある。このように、単に一定時間毎の部分を順次再生するのみでは、充分にシナリオ再生の機能を達成することができない。
【０００８】
また、上記のような以前見たＤＶＤの映像の確認のためにシナリオ再生を行う以外に、例えばＤＶＤチェンジャーを使用しているとき、その中の１枚を選択するに際して、予め各ＤＶＤに記録されている映画等の内容を確認し、その後に任意の１枚を選択して視聴するようなときには、ＤＶＤの主要な部分のみを短時間で効率的に再生する必要がある。このようなときにも、前記のような従来のシナリオサーチ方式ではＤＶＤの映画等の内容を確認することは困難であった。
【０００９】
したがって、本発明は、ＤＶＤビデオの再生に際して、間欠的な再生と早送りを繰り返すことによりストーリーの展開を表示する「シナリオ再生」を行うに際して、ストーリーの主要な部分を重点的に再生し、全体の筋書きを確実に知ることができるようにしたＤＶＤビデオシナリオ再生装置を提供することを主たる目的とする。また、そのシナリオ再生に際して、ユーザの指示に従って映像を主体にシナリオ再生を行うか、会話を主体にシナリオ再生を行うかを任意に選択することができるようにすることを目的とする。
【００１０】
【課題を解決するための手段】
本発明は、上記課題を解決するため、ＤＶＤデータにおける最小データ管理単位のユニットの管理データから、当該ユニットの再生時間を取得するユニット再生時間取得部と、同ユニットにおける映像の管理を行う映像管理データからユニット内の映像サイズを表すデータを取得する映像サイズデータ取得部と、前記ユニット再生時間と映像サイズデータから当該ユニットの映像データ密度を演算する映像データ密度演算部と、設定時間内で再生するユニットを前記データ密度順に選択するシナリオ再生用ユニット選択部と、前記選択されたユニットをデータ記録順に再生し出力する再生出力部とからなることを特徴とするＤＶＤビデオシナリオ再生装置としたものである。
【００１１】
また、その発明の態様として、前記映像データ取得部で取得するデータは主映像のサイズデータであり、選択された主映像データ密度の大きいユニットをデータ記録順に再生する前記ＤＶＤビデオシナリオ再生装置としたものである。
【００１２】
また、前記映像データ取得部で取得するデータは字幕のサイズデータであり、選択された字幕データ密度の大きいユニットをデータ記録順に再生する前記ＤＶＤビデオシナリオ再生装置としたものである。
【００１３】
また、前記映像データ密度の演算に用いる映像サイズデータを、主映像のサイズデータと字幕のサイズデータとに切り換えるシナリオ再生モード設定部を備えた前記ＤＶＤビデオシナリオ再生装置としたものである。
【００１４】また、前記シナリオ再生用ユニット選択部では、前記データ密度順の選択に際して、先に選択したユニットから所定以上近接するユニットを選択しないようにした前記ＤＶＤビデオシナリオ再生装置としたものである。
【００１５】
また、前記ＤＶＤデータにおける隣接する所定時間分のユニットを集めて単位ユニットグループとし、各単位ユニットグループ毎に再生時間と、映像サイズデータと、データ密度とを演算し、前記シナリオ再生用ユニット選択部では、設定時間内で再生する単位ユニットグループを前記データ密度順に選択し、前記再生出力部では、選択された単位ユニットグループをデータ記録順に再生し出力する前記ＤＶＤビデオシナリオ再生装置としたものである。
【００１６】
また、前記シナリオ再生用ユニット選択部では、前記データ密度順に選択された単位ユニットグループにつながる単位ユニットを所定数集めて再生用ユニットグループとし、前記再生出力部では、前記選択された単位ユニットグループが存在する再生用ユニットグループをデータ記録順に再生し出力する前記ＤＶＤビデオシナリオ再生装置としたものである。
【００１７】
【発明の実施の形態】
本発明の実施の形態を図面に沿って説明する。図１は本発明のＤＶＤビデオシナリオ再生装置を用いたＤＶＤビデオプレーヤの機能ブロック図であり、モータ１により回転駆動されるＤＶＤビデオディスク２は、ＲＦ信号を再生するピックアップ３によりその２値化記録データが読み取られ、復調訂正部４によりＲＦ信号の二値化処理と再生データのエラー訂正等のでデコード処理を行い、デマルチプレクサ５に入力する。これらのモータ１、ピックアップ３，復調訂正部４、デマルチプレクサ５及びＤＶＤプレーヤの各種機能部は、ＤＶＤビデオ制御部６によって制御される。
【００１８】
ＤＶＤビデオディスク２に記録されたデータは、フォーマットの基準に沿って、或いは必要に応じてそれ以外の手法によりフォーマットすることができるものであるが、例えば図４に示すようにフォーマットすることができる。即ち、このＤＶＤに記録されているデータが例えば映画である場合は、この映画の１作品となるビデオオブジェクトセット（ＶＯＢＳ）が１つの単位となっている。このＶＯＢＳは、１群の記録データとして管理される複数のビデオオブジェクト（ＶＯＢ）からなる。このＶＯＢは映画では１シーンや１カット等の単位となるセル（Ｃｅｌｌ）の集合で構成され、このＣｅｌｌの再生時間は数分から十数分程度となっている。
【００１９】
各Ｃｅｌｌは複数のビデオオブジェクトユニット（ＶＯＢＵ）によって構成され、このＶＯＢＵは全再生時間が０．４秒から１．２秒単位のデータが記録されている。このＶＯＢＵの中には、ＭＰＥＧ２のフォーマットにおける複数のグループオブピクチャーが含まれる。このＶＯＢＵは、ＶＯＢＵを管理する情報を記録したナビゲーションパック（ＮＶパック：ＮＶ−ＰＣＫ）と、主映像を記録したビデオパック（Ｖパック：Ｖ−ＰＣＫ）と、音声データを記録したオーディオパック（Ａパック：Ａ−ＰＣＫ）と、字幕等の副映像データを記録したサブピクチャーパック（ＳＰパック：ＳＰ−ＰＣＫ）とにより構成されている。
【００２０】
各ＶＯＢＵはＮＶパックと呼ばれる管理パック内のデータに基づき管理される。このＮＶパックには、ＶＯＢＵ全体の管理データとして、このＶＯＢＵの再生時間が記録され、また、ＮＶパックにより再生が制御される主映像を記録したＶパックのサイズが記録されている。そのほか、このＮＶパックには、このＮＶパックのアドレス、カテゴリー、ユーザオペレーションの制御情報、このＶＯＢＵが含まれているＣｅｌｌの先頭からの経過時間等、種々の管理データが記録されている。
【００２１】
このＮＶパックのデータは、図１に示すようにＮＶパックデータバッファ１０に蓄えられ、後述する映像・音声再生・合成部１５においてこのデータが必要なときに取り出され、この管理情報によりデータの各種処理等が行われる。そのほか、本発明においては、ＮＶパックにおけるこのＶＯＢＵの再生時間のデータをＶＯＢＵ再生時間読込部２０に出力し、ＭＰＥＧ２で記録された主映像のデータのサイズを表す主映像サイズデータを、映像サイズデータ取得部２１内のＮＶパック主映像サイズデータ取得部２２に出力している。
【００２２】
また、ＮＶパック内には、図５に示すように、映像データ表示の制御情報であるプレゼンテーション・コントロール・インフォメーション（ＰＣＩ）と、各データのサーチ情報であるデータ・サーチ・インフォメーション（ＤＳＩ）とを備えている。また、前記ＰＣＩには、このＰＣＩ全体の管理情報と、ノンシームレスの場合のアングル切換情報と、副映像等を表示する際に所定領域にハイライト表示をするための情報と、主映像データ、副映像データ、音声データのレコーディング情報等が記録されている。また、前記ＤＳＩには、図５に示すように、このＤＳＩ全体の管理情報（ＤＳＩ  ＧＩ）と、シームレスの場合の再生管理情報（ＳＭＬ  ＰＢＩ）と、シームレスの場合のアングル情報（ＳＭＬ  ＡＧＬＩ）と、ＶＯＢＵ間の時間間隔等のＶＯＢＵ検索情報（ＶＯＢＵ  ＳＲＩ）と、音声データ及び副映像データと時間的な一致を示すシンクロ情報（ＳＹＮＣＩ）等が記録されている。
【００２３】
更に、前記ＤＳＩの管理情報（ＤＳＩ  ＧＩ）には、このＮＶパックのシステムクロック基準（ＮＶ  ＰＧＫ  ＳＣＲ）、このＮＶパックのアドレス（ＮＶ  ＰＣＫ  ＬＢＮ）、このＶＯＢＵのエンドアドレス（ＶＯＢＵ  ＥＡ）等のこのＶＯＢＵに間する各種データ、このＶＯＢＵが含まれているセルの先頭からの経過時間（Ｃ  ＥＬＴＭ）等が記録されている。
【００２４】
この映像データに字幕等の副映像データを記録した場合には、これらはサブピクチャーパック（ＳＰパック）に記録され、このＳＰパックが所定数集まると１つのサブピクチャーユニット（ＳＰユニット）が構成される。このＳＰユニットには、ＳＰユニットのサイズの情報等からなるサブピクチャーユニットヘッダー（ＳＰＵＨ）と、サブピクチャーを構成する２ビットのピクセルデータと、ディスプレイに表示されるサブピクチャーを制御するサブピクチャー・ディスプレイ・コントロール・シーケンス・テーブル（ＳＰＤＣＳＱＴ）等のデータが記録されており、その再生はＳＰＵＨ、およびＳＰＤＣＳＱＴによって制御され、前記ＮＶパックの管理データにより主映像、音声データと同期して再生される。
【００２５】
このＳＰパックのデータは、図１に示すようにＳＰパックデータバッファ１１に蓄えられ、映像・音声・再生・合成部１５においてこのデータが必要なときに取り出され、前記管理情報によりデータの各種処理が行われる。そのほか、本発明においては、ＳＰパックにおける副映像の字幕データのサイズを表す字幕サイズデータを、映像サイズデータ取得部２１内のＳＰパック字幕サイズデータ取得部２３に出力している。
【００２６】
このようなＤＶＤのデータフォーマットにおいては、上記ビデオオブジェクトユニット（ＶＯＢＵ）が本発明の「最小データ管理単位のユニット」に相当し、このユニットの管理データはＮＶパックに主として記録され、当該ユニットの再生時間はこのＮＶパックに記録され、またＮＶパックに主映像のサイズデータを含め主映像の管理を行う映像管理データが記録され、更に、ＳＰパックに副映像としての字幕のサイズデータが記録されていることとなる。なお、本発明の最小データ管理単位のユニットとしては、上記のようなデータフォーマット以外の構成をとる際には、上記ＶＯＢＵに相当するデータがこれに対応する。
【００２７】
以下、上記のようにして取り込まれたデータに基づいて種々の演算が行われるが、最初本発明の基本的な作動を示すため、ＶＯＢＵ単位に演算が行われる例を示す。
【００２８】
図１において、前記ＶＯＢＵ再生時間取得部２０に取得された各ＶＯＢＵの再生時間データは、映像データ密度演算部２５に出力する。また、前記映像サイズデータ取得部２１内の、ＮＶパック主映像サイズデータ取得部２２、またはＳＰパック字幕サイズデータ取得部２３のいずれかのデータが、外部から任意に設定されるシナリオ再生モード設定部２７から出力されるシナリオ再生モード設定に応じて、モード切換スイッチ２４が切り換えられることにより、選択的に映像データ密度演算部２５に出力する。
【００２９】
映像データ密度演算部２５では、モード切換スイッチ２４において、例えば図示するようにＮＶパック主映像サイズデータ取得部２２と接続されているときには、ＶＯＢＵのデータのおおよその大きさを示すＶＯＢＵ再生時間に対する、ＭＰＥＧ２のデータ量としてのＮＶパック主映像サイズデータの比率、即ち各ＶＯＢＵの主映像のビットレートとしての主映像データ密度を演算する。例えば上記ＮＶパック主映像サイズデータの密度が大きいときには、ＶＯＢＵのサイズの割に主映像のデータ量が多いこと、又は、ＶＯＢＵ再生時間に対してＶＯＢＵのサイズが大きいこと、即ち主映像の動きが大きいことを表し、それによりこのＶＯＢＵ内では、この映画の１場面としてストーリーに大きな変化を及ぼすような映像データが存在することが推測される。
【００３０】
映像データ密度演算部２５の前記データは、シナリオ再生用ＶＯＢＵ選択部２６に出力され、密度の大きい順に並べられる。また、このシナリオ再生用ＶＯＢＵ選択部２６では、外部から任意に設定されるシナリオ再生時間設定部２８により任意に設定されたシナリオ再生時間に基づいて、そのシナリオ再生時間以内で再生することができるＶＯＢＵの主映像データを、前記密度の大きい順に並べられた中から、その時間以内となるＶＯＢＵを上位から選択する。
【００３１】
このように選択されたＶＯＢＵの情報を映像・音声・再生・合成部１５に入力し、対応するデータを映像・音声・再生・合成部１５に後述する各バッファを介してＤＶＤビデオディスクから読み出す。即ち、この映像・音声・再生・合成部には、前記のようにＮＶパックデータバッファ１０から、ＶＯＢＵ全体の管理情報、及び主映像の管理情報を有するデータを読み込み、ＳＰパックデータバッファ１１から、副映像の管理情報を有するのデータを読み込み、更に主映像バッファ１２の主映像データ、副映像バッファ１３の字幕等の副映像データ、音声データバッファ１４のオーディオデータが読み込まれる。したがって、これらのデータに基づき、映像・音声・再生・合成部１５では、選択されたＶＯＢＵについて記録されていた順に並び替えて再生及び合成し、再生出力部１６から音声及び映像をディスプレイ並びにスピーカに対して出力する。
【００３２】
上記の例においては、シナリオ再生モードとして、ＮＶパックに記録された主映像サイズデータを読み込むことにより、主映像の動きの大きいＶＯＢＵを再生するようにした例を示したが、モード切換スイッチ２４をＳＰパック字幕サイズデータ取得部２３側に切り換えて、字幕の多い部分を選択してシナリオ再生することもできる。その際には、ＳＰパックのパックヘッダー部分におけるストリーム番号から字幕データと判別されてそのデータが得られ、これを映像データ密度演算部２５に映像サイズデータとして取得し、ＶＯＢＵのデータのおおよその大きさを示すＶＯＢＵ再生時間に対する比率、即ち各ＶＯＢＵの副映像のビットレートとしての字幕データ密度を演算する。例えば上記ＳＰパックの字幕部分のデータ密度が大きいときは、ＶＯＢＵのサイズの割に字幕のデータ量が多いことを表し、それによりこのＶＯＢＵ内では、この映画の１場面として重要な映像データが存在することが推測される。
【００３３】
次いで、映像データ密度演算部２５の前記データは、前記主映像サイズデータに基づく映像データ密度の場合と同様に、シナリオ再生用ＶＯＢＵ選択部２６に出力され、密度の大きい順に並べられる。また、このシナリオ再生用ＶＯＢＵ選択部２６では、前記と同様に、外部から任意に設定されるシナリオ再生時間設定部２８により設定されたシナリオ再生時間に基づいて、そのシナリオ再生時間以内で再生することができるＶＯＢＵの主映像データを、前記密度の大きい順に並べられた中から、その時間以内となるＶＯＢＵを上位から選択する。以降も前記と同様に処理され、映像・音声・再生・合成部１５において、選択されたＶＯＢＵをデータ記録順に並び替え、主映像と合成し、音声と同期させて再生出力部１６に出力する。
【００３４】
ＳＰパックの字幕サイズデータを取得するに際して、各ＶＯＢＵ内に１つのＳＰパックのみが存在するときには、そのＳＰパックに記録されているデータのみにより字幕サイズデータを得ることができ、また、複数個存在するときには各ＳＰパック字幕サイズデータの合計によって得ることができる。また、ＳＰパックの字幕サイズデータを取り込むに際して、各ＳＰパック内のサイズデータを読み込むほか、各ＶＯＢＵに入っているＳＰパックの合計パック数によってもおおよそのデータ量を知ることができるので、ＳＰパックに入っているデータ量が等量であると仮定して、簡易なデータサイズの計算を行い、それによってＶＯＢＵのデータ密度の順位付けを行っても良い。
【００３５】
上記のような機能ブロックの構成からなるＤＶＤビデオシナリオ再生装置において、その作動は図２及び図３に示すような作動フローによって行われる。図２は前記図１におけるモード切換スイッチ２４を図示する位置、即ちＮＶパック主映像サイズデータ取得部２２側に切り換え、動き重視モードとした状態の作動フローを示し、図３はモード切換スイッチ２４を逆に、ＳＰパック字幕サイズデータ取得部２３側に切り換え、会話重視モードとした状態の作動フローを示している。
【００３６】
図２に示す動き重視モードにおいては、最初各ＶＯＢＵのＮＶパックから、ＶＯＢＵ再生時間取得部２０において再生時間を取得する（ステップＳ１）。次いで、ＮＶパック主映像サイズデータ取得部２２において、各ＶＯＢＵのＮＶパックから主映像データサイズを取得する（ステップＳ２）。なお、前記ステップＳ１とステップＳ２とは並行処理することができる。次いで映像データ密度演算部２５において、各ＶＯＢＵに関し、主映像データサイズ／再生時間、の式によって主映像データ密度の計算を行う（ステップＳ３）。その後、シナリオ再生用ＶＯＢＵ選択部２６において、主映像データ密度の高い順にＶＯＢＵの順位付けを行い（ステップＳ４）、次いでシナリオ再生の合計設定時間の範囲内において再生できるデータ上位のＶＯＢＵを選択する（ステップＳ５）。次いで、このデータに基づき、所定映像順にＶＯＢＵの再生、即ち間欠的なシナリオ再生を行う（ステップＳ６）。
【００３７】
一方、図３に示す会話重視モードにおいては、最初前記動き重視モードと同様に各ＶＯＢＵのＮＶパックから、ＶＯＢＵ再生時間取得部２０において再生時間の取得を行う（ステップＳ１１）。次いで、ＳＰパック字幕サイズデータ取得部２２において、各ＶＯＢＵのＳＰパックから字幕サイズデータを取得する（ステップＳ１２）。なお、前記と同様にステップＳ１１とステップＳ１２とは並行処理することができる。次いで映像データ密度演算部２５において、各ＶＯＢＵに関し、字幕データサイズ／再生時間、の式によって字幕データ密度の計算を行う（ステップＳ１３）。その後、シナリオ再生用ＶＯＢＵ選択部２６において、字幕データ密度の高い順にＶＯＢＵの順位付けを行い（ステップＳ１４）、次いでシナリオ再生時間設定部２８で設定されたシナリオ再生設定時間の範囲内において再生できるデータ上位のＶＯＢＵを選択する（ステップＳ１５）。以下前記と同様に、上記データに基づき、所定映像順にＶＯＢＵの再生を行う（ステップＳ１６）。
【００３８】
上記のように再生される映像は、例えば図６に示すように、同図（ａ）のＤＶＤに記録された全体の映像データＤにおいて、動き重視モードに際しては、同図（ｂ）に示すように主映像データのデータ密度Ｎにおいて、また、会話重視モードにおいては、同図（ｃ）に示すように字幕データのデータ密度Ｓにおいて、各々データ密度の高い部分が選択されて間欠的に再生される。それにより動き重視モードにおいて、動きの大きい部分が設定時間分だけ再生され、また、会話重視モードでは、会話の多い部分が設定時間分だけ再生されることとなり、各々の映画に適したモードを選択することにより、適切なシナリオサーチを行うことができる。
【００３９】
上記の例は本発明の基本的な作動を示すために簡略して述べたものであるが、実際には、上記ＤＶＤデータフォーマットにおいては、各ＶＯＢＵに記録されているデータの再生時間が０．４乃至１．２秒程度であるので、このままでは間欠的に再生される映像の時間が短すぎるため、その内容を理解することができない。そのため、例えば前記のようにＶＯＢＵの密度が演算され、順位付けが行われた後の、実際に再生するＶＯＢＵの選択に際しては、図７に示すように、映像データ密度の大きなＶＯＢＵとして選択されたＶＯＢＵ（Ｍ）の前後の、例えば合計２０秒間のＶＯＢＵが集められた再生用単位ユニットグループ（ＳＵＧ）を、再生設定時間内で選択して再生を行うように設定することもできる。
【００４０】
また、例えば図８に示すように、最初のＶＯＢＵから、例えば１０乃至３０秒の範囲等、所定時間分の連続するＶＯＢＵを集め、これをＶＯＢＵの単位ユニットグループ（ＵＧ）とし、このＶＯＢＵ（ＵＧ）毎にＶＯＢＵ再生時間取得部２０で再生時間を計算して取得し、ＮＶパック主映像サイズデータ取得部２２及びＳＰパック字幕サイズデータ取得部２３ではこの単位ユニットグループ毎に映像サイズデータを計算して取得する。このようなデータをもとに、映像データ密度演算部２５では各単位ユニットグループ（ＵＧ）毎にデータ密度を演算し、シナリオ再生用ＶＯＢＵ選択部２６ではデータ密度の大きい順に設定時間内で再生できる単位ユニットグループ（ＵＧ）を選択し、再生出力部１６からはデータの記録順に選択された単位ユニットグループ（ＵＧ）を再生する。
【００４１】
上記所定時間分のＶＯＢＵ（ＵＧ）を集めるに際しては、全て同じ数のＶＯＢＵを集める場合の他、各ＶＯＢＵの再生時間を計算して、例えば約２０秒間等、一定の時間を設定し、ほぼその時間分のＶＯＢＵを集めて単位ユニットグループ（ＵＧ）を構成することもできる。
【００４２】
また、単位ユニットグループ（ＵＧ）を構成するＶＯＢＵを集めるに際して、上記図８に示す例のように、最初のＶＯＢＵから順に連続する所定時間分のＶＯＢＵを集めて前記のようなデータ密度計算等を行う際に、シナリオ再生により間欠的に再生される部分が例えば１分のように長い場合には、多くのＶＯＢＵ（ＵＧ）の映像データ量が平均化してしまい、特徴的な部分を抽出することができない恐れがある。
【００４３】
その対策として、例えば図９に示すように、最初のＶＯＢＵから前記図８に示すものよりは短い、例えば５秒の範囲等の連続するＶＯＢＵを集めてこれをＶＯＢＵの単位ユニットグループ（ＵＧ）とし、前記と同様のデータ処理を行い、データ密度の計算、順位付け、シナリオ再生用ＶＯＢＵの選択等を行う。その後選択されたＶＯＢＵの単位ユニットグループＶＯＢＵ（ＵＧ）の前後の、例えば合計２０秒間のＶＯＢＵグループを選択し、これをＶＯＢＵの再生用単位ユニットグループ（ＳＵＧ）として再生を行うように設定することもできる。
【００４４】
なお、前記ＶＯＢＵ（ＵＧ）が極めて小さく、単一のＶＯＢＵに近いときは図７に示すものと同様の態様となる。しかしながら、図７に示すシナリオ再生の態様においては、選択されたＶＯＢＵに例えば１秒間の間に極めて大きな映像の変化があり、その前後においては特に変化がないような映像を再生してしまうこともあるのに対して、図９のに示すシナリオ再生の態様では、ある程度は平均化したデータ密度計算を行って選択するため、上記のような問題を生じる恐れが少ない。但し、前記ＶＯＢＵ（ＵＧ）が大きくなりすぎると前記図８に示す態様と同様に、データ量が平均化してしまうため、適切なＶＯＢＵ（ＵＧ）を選択することが好ましい。
【００４５】
また、前記図８及び図９に示す態様のように、ＶＯＢＵの単位ユニットグループ（ＵＧ）を集めるに際して、前記のように単位ユニットグループを２０秒間分集める等、一定時間分を集めて単位ユニットグループ（ＵＧ）を構成する際には、データ密度を計算する際の基準のサイズがほぼ等しくなるので、映像データ密度演算部２５では厳密なデータ密度計算を行うことなく、映像サイズデータ取得部２１の各データをそのままシナリオ再生用ＶＯＢＵ選択部２６に出力し、シナリオ再生用ＶＯＢＵ選択部２６では各単位ユニットグループのデータ量の順に順位付けし、これをもとに所定時間分となる単位ユニットグループを選択することができる。
【００４６】
また、前記のように単位ユニットグループ（ＵＧ）毎にデータ密度を演算し、データ密度の大きい順に設定時間内で再生できる単位ユニットグループを選択するに際して、動きの大きな映像や字幕の多い映像が特定箇所にまとまり、ほとんどがその部分のみの再生とならないように、例えば図１０に示すように、最初に選択された再生単位ユニットグループ（ＳＵＧ）の前後の所定時間（Ｐ）を再生選択除外領域に設定し、この領域のＶＯＢＵを再生しないようにする選択手段を用いることが好ましい。
【００４７】
前記図９に示すような比較的短い時間分のＶＯＢＵの単位ユニットグループ（ＵＧ）毎にデータ密度の計算、及び前記ＵＧの選択を行い、その再生に際してはより長い時間の再生単位ユニットグループ（ＳＵＧ）でデータ記録順に再生を行うに際しては、図１１に示すような作動フローによって作動させることができる。図１１には動き重視モードにおける作動フローの例を示しているが、会話重視モードにおいても同様の作動フローによって作動を行うことができるので、その説明は省略する。
【００４８】
最初、例えば３個のＶＯＢＵ等、予め設定された個数のＶＯＢＵの単位ユニットグループ（ＵＧ）毎に、再生時間の計算を行いこのデータを取得する（ステップＳ２１）。その後、或いは前記ステップ２１と並行処理により、前記のようなＶＯＢＵの単位ユニットグループ（ＵＧ）毎に、主映像データサイズの計算を行い、このデータを取得する（ステップＳ２２）。次いで各ＶＯＢＵ（ＵＧ）毎に主映像データ密度の計算を行う（ステップＳ２３）。次いで映像データ密度の高い順に前記ＶＯＢＵ（ＵＧ）の順位付けを行う（ステップＳ２４）。
【００４９】
その後、データ密度の上位のＶＯＢＵ（ＵＧ）について、その前後の所定量のＶＯＢＵを集めて再生用単位ユニットグループ（ＳＵＧ）として設定し、そのＶＯＢＵ（ＳＵＧ）がシナリオ再生の合計設定時間内となるようなＶＯＢＵ（ＳＵＧ）を選択する（ステップＳ２６）。次いで、このように選択されたＶＯＢＵ（ＳＵＧ）について、記録されていた所定映像順に再生を行う（ステップＳ２７）。
【００５０】
本発明は上記のように種々の態様で作動させることができるものであるが、必要に応じて更に種々の作動を加え、或いはその一部を削除した態様で作動させることができる。
【００５１】
【発明の効果】
本発明は、上記のように構成したので、ＤＶＤビデオの再生に際して、間欠的な再生と早送りを繰り返すことによりストーリーの展開を表示するシナリオ再生に際して、映像データ密度の高い部分を選択して再生するので、ストーリーの主要な映像部分のみを選択して再生することができ、全体のあら筋を確実に知ることができる。
【００５２】
また、他の態様においては、前記映像データ取得部で取得するデータは主映像のサイズデータであり、選択された主映像データ密度の大きいユニットをデータ記録順に再生するので、動きの激しい映像部分のみを選択して再生することができ、動きを主体にした映画等においてストーリーの主要な映像部分のみを確実に選択して再生することができるようになる。
【００５３】
また、他の態様においては、前記映像データ取得部で取得するデータは字幕のサイズデータであり、選択された字幕データ密度の大きいユニットをデータ記録順に再生するので、会話を中心とした映画等においてストーリーの主要な映像部分のみを確実に選択して再生することができるようになる。
【００５４】
また、他の態様においては、前記映像データ密度の演算に用いる映像サイズデータを、主映像のサイズデータと字幕のサイズデータとに切り換えるシナリオ再生モード設定部を備えたので、再生する映画のジャンル等に応じていずれかを選択することにより、種々の映画等においてストーリーの主要な映像部分のみを確実に選択して再生することができる。
【００５５】
また、他の態様においては、前記シナリオ再生用ユニット選択部では、前記データ密度順の選択に際して、先に選択したユニットから所定以上近接するユニットを選択しないようにしたので、全体の映像データのうち特定の部分のみが選択されてしまうことを防止することができる。
【００５６】
また、他の態様においては、前記ＤＶＤデータにおける隣接する所定時間分のユニットを集めて単位ユニットグループとし、各単位ユニットグループ毎に再生時間と、映像サイズデータと、データ密度とを演算し、前記シナリオ再生用ユニット選択部では、設定時間内で再生する単位ユニットグループを前記データ密度順に選択し、前記再生出力部では、選択された単位ユニットグループをデータ記録順に再生し出力するので、映像データ密度が短時間だけ高い部分の再生を防ぐことができるとともに、シナリオ再生時の各画像の再生時間を所定時間継続させることができ、ストーリーの主要な映像部部のみをより確実に選択して再生すると共に、見やすいＤＶＤシナリオ再生装置とすることができる。
【００５７】
また、他の態様においては、前記シナリオ再生用ユニット選択部では、前記データ密度順に選択された単位ユニットグループにつながる単位ユニットを所定数集めて再生用ユニットグループとし、前記再生出力部では、前記選択された単位ユニットグループが存在する再生用ユニットグループをデータ記録順に再生し出力するので、ストーリーの主要な部分の選択範囲が狭すぎず、また広すぎないように設定することができ、その再生に際しては前記選択範囲に関わらず所定の長さの再生を行うことができ、ストーリーの主要な映像部部のみをより確実に選択して再生することができると共に、見やすいＤＶＤシナリオ再生装置とすることができる。
【図面の簡単な説明】
【図１】本発明の実施例の機能ブロック図である。
【図２】本発明を動き重視モードでシナリオ再生するときの作動フロー図である。
【図３】本発明を会話重視モードでシナリオ再生するときの作動フロー図である。
【図４】本発明の実施例を適用するＤＶＤビデオのデータ記録フォーマットの説明図である。
【図５】同データにおけるＶＯＢＵ部分の記録内容を示す説明図である。
【図６】本発明によりシナリオ再生されるデータを示す説明図である。
【図７】本発明によりシナリオ再生する際の演算用データと再生用データの関係の実施例を示す説明図である。
【図８】本発明によりシナリオ再生する際のＶＯＢＵの単位ユニットグループを示す説明図である。
【図９】本発明によりシナリオ再生する際の演算用データと再生用データの関係の他の実施例を示す説明図である。
【図１０】本発明によりシナリオ再生する際の再生選択除外領域を設定するときの説明図である。
【図１１】本発明を動き重視モードでシナリオ再生するとき、図９に示す演算用データと再生用データの関係で作動させる際の作動フロー図である。
【図１２】従来のシナリオ再生における再生データの状態を示す説明図である。
【符号の説明】
２  ＤＶＤビデオディスク
５  デマルチプレクサ
６  ＤＶＤビデオ制御部
１０  ＮＶパックデータバッファ
１１  ＳＰパックデータバッファ
１２  主映像バッファ
１３  副映像バッファ
１４  オーディオバッファ
１５  映像・音声・再生・合成部
２０  ＶＯＢＵ再生時間取得部
２１  映像サイズデータ取得部
２２  ＮＶパック主映像サイズデータ取得部
２３  ＳＰパック字幕サイズデータ取得部
２４  モード切換スイッチ
２５  映像データ密度演算部
２６  シナリオ再生用ＶＯＢＵ選択部
２７  シナリオ再生モード設定部
２８  シナリオ再生時間設定部
【図１】
0003938649.tif 000002
【図２】
0003938649.tif 000003
【図３】
0003938649.tif 000004
【図４】
0003938649.tif 000005
【図５】
0003938649.tif 000006
【図６】
0003938649.tif 000007
【図７】
0003938649.tif 000008
【図８】
0003938649.tif 000009
【図９】
0003938649.tif 000010
【図１０】
0003938649.tif 000011
【図１１】
0003938649.tif 000012
【図１２】
0003938649.tif 000013